(57)【要約】【課題】  特別な操作を行なうことなく、また他の利用客の利用を中段させることなく、安全にベビーカーを運搬できるようにすること。【解決手段】  循環走行する多数の踏段７において、その踏板１４面にベビーカーの前輪２１または後輪２２が嵌入可能な凹部切り欠き１８を設ける。  ベビーカー２０を踏段７に載せる際には、ベビーカー２０の前輪２１または後輪２２を凹部切り欠き１８に嵌入させることにより、ベビーカー２０を位置決めし移動を制限する。【選択図】  図５
2005075477.tif 000002
【特許請求の範囲】
【請求項１】
主枠と、無端状に連結され、前記主枠に設けられたガイドレールに沿って循環走行する多数の踏段と、この踏段の幅方向の両側に立設された一対の欄干と、この一対の欄干にそれぞれ設けられ、前記踏段と同期して走行する手すりベルトとを備え、前記踏段の踏板面にベビーカーの車輪が嵌入可能な凹部切り欠きが設けられていることを特徴とする乗客コンベア装置。
【請求項２】
前記凹部切り欠きは、前記踏段の踏板面の幅方向に延びるように設けられていることを特徴とする請求項１に記載の乗客コンベア装置。
【請求項３】
前記凹部切り欠きは、前記踏段の踏板面の幅方向に対し、左右いずれか一方の側にのみ設けられていることを特徴とする請求項１に記載の乗客コンベア装置。
【請求項４】
前記凹部切り欠きは、断面形状が円弧状に形成されていることを特徴とする請求項１ないし３のいずれかに記載の乗客コンベア装置。
【請求項５】
前記凹部切り欠きは、断面形状がＶ字状に形成され、その挟み角が鈍角に構成されていることを特徴とする請求項１ないし３のいずれかに記載の乗客コンベア装置。
【請求項６】
前記踏段が反転する位置に設けられた乗降口に、前記踏段の踏板面に設けられた凹凸に噛み合う櫛歯の先端部が設けられ、前記凹部切り欠きは、その深さ寸法が前記櫛歯の先端部の高さ寸法とほぼ同じか、または先端部の高さ寸法より小さく構成されていることを特徴とする請求項４または５に記載の乗客コンベア装置。
【請求項７】
前記踏段の蹴上げ板面に凹部切り欠きが設けられていることを特徴とする請求項１ないし６のいずれかに記載の乗客コンベア装置。
【請求項８】
前記踏板面および蹴上げ板面の少なくとも一方の凹部切り欠きに、他の踏段の部分よりも目立つ手段が施されていることを特徴とする請求項７に記載の乗客コンベア装置。
【発明の詳細な説明】
【技術分野】
【０００１】
本発明は、ベビーカーを安全に運搬することのできる、エスカレーターや動く歩道などの乗客コンベア装置に関する。
【背景技術】
【０００２】
乗客コンベア装置であるエスカレーターは、上下の階床間に傾斜して設けられ、無端状に連結された多数の踏段が上昇方向または下降方向に走行することにより、踏段に乗った利用者を昇降させる運搬機関として供されている。
【０００３】
エスカレーターは、一般の乗客が利用する以外に、車いす利用者が利用したり、幼児を乗せたベビーカーを伴った保護者が利用する場合がある。
【０００４】
これまでも車いす利用者を輸送するエスカレーターとして、踏段を変形させて車いすを運搬する技術や、また専用台車などの補助具を用いて車いすを運搬する技術が提案されている。例えば、車いす兼用エスカレーターは、踏段間に少なくとも１セットの変形可能な２段１組あるいは３段１組の特殊踏段が組み込まれており、車いす利用者によるエスカレーターの利用に際しては、係員の操作により、乗降口の近くで２段または３段の特殊踏段が水平面を形成するように変形して車いす搭載面を形成し、この車いす搭載面に車いすを搭載した後、エスカレーターを上昇あるいは下降運転して車いす利用者を運搬するものであった。
【０００５】
一方、通常の一般的なエスカレーターの踏段に、エスカレーターの踏段の段差運動に応じて水平を維持する機構を有する専用台車を利用するものもある。この場合には、エスカレーターは従来の通常の構成で対応でき、エスカレーター側に特殊機構を組み込む必要がないために、エスカレーターを複雑な構成にしたり、改造したりする必要もない。
【０００６】
しかしながら、これら従来から提案されてきた２つの技術は、主に車いすを安全に運搬することを目的としたものである。そして車いす兼用エスカレーターは、通常車いすを運搬できる特殊踏段の組がエスカレーター１台に１セットのみしか組み込まれておらず、しかも利用するには、係員を呼び出し、専用の操作を行なう必要があり、その間、他のエスカレーター利用者の利用を中断させる必要があった。
【０００７】
また専用台車を利用する方法も同様であり、係員の呼び出し、および他のエスカレーター利用者に対する利用の中断が発生するほか、エスカレーターを管理する側においては、その専用台車を保管するスペースを確保しなければならない、などの問題もある。
【０００８】
したがって、車いす兼用エスカレーターにおける特殊踏段や通常のエスカレーターに使用する専用台車は、車いす専用として利用されているのが現状であり、ベビーカーを伴う利用者にとって、上述の車いす専用の運転手段を気軽に利用することは難しいと言わざるを得なかった。
【０００９】
なお、上記２つの技術と異なり、ベビーカーの脚を伸縮自在に構成して踏段の段差に応じて水平に維持するものもある。このベビーカーを利用すれば、エスカレーターの利用時に、係員の呼び出しや、他のエスカレーター利用者に対する利用の中断を発生させることはないが、ベビーカーの使用者に対し、脚の伸縮機構追加による重量の増加や大型化により坂道や階段での運搬を難しくすることや適切な伸縮操作が要求される、などの問題が生じる。
【００１０】
そこでベビーカーを伴う利用者（保護者）は、これらの車いす専用特殊踏段や専用台車を使用しないでエスカレーターを利用することになる。
【００１１】
エスカレーターの踏段にベビーカーを載せる場合、エスカレーターの上昇運転では、乗降口からベビーカーの前輪を踏段に乗せ、続いて保護者が一つ下の踏段に乗り、ベビーカーを水平に維持するため、後輪を持ち上げ、その状態を維持しながら上階の乗降口で降りることになる。
【００１２】
エスカレーターの下降運転では、ベビーカーの後輪を踏段に載せ、続いて保護者が一つ上の踏段に乗り、ベビーカーのハンドルを下方に押しながら前輪を浮かせてベビーカーを水平に維持することになる。
【発明の開示】
【発明が解決しようとする課題】
【００１３】
このようにして、車いす専用特殊踏段や専用台車を用いないで、ベビーカーをエスカレーターの踏段に載せた場合には、ベビーカーの車輪が踏段の平らな踏板面では固定されないため、上昇運転時には、ベビーカーの車輪が保護者側に引き寄せられた場合に転倒する危険があり、また下降運転時には、保護者が前寄りの姿勢を強要されるため、ベビーカーの車輪が前寄りに動いた場合、下段側に落下するおそれがあった。
【００１４】
一方、エスカレーターに乗ったときに、その都度ベビーカーの車止め（ブレーキ）を掛けることも考えられるが、動いている踏段では、保護者の体勢が崩れやすいので、このような作業を行なうことも安全面から望ましくない。
【００１５】
本発明は、上記の課題を解決するためになされたもので、特別な操作を行なうことなく、また他の利用客の利用を中段させることなく、安全にベビーカーを運搬できる乗客コンベア装置を提供すること目的とする。
【課題を解決するための手段】
【００１６】
上記目的を達成するため本発明は、ガイドレールに沿って循環走行する多数の踏段において、その踏板面にベビーカーの車輪が嵌入可能な凹部切り欠きを設けたことを特徴とする。
【００１７】
このように構成された乗客コンベア装置においては、ベビーカーを踏段に載せる際に、ベビーカーの車輪を凹部切り欠きに嵌入させることにより、ベビーカーを位置決めすることができるので、踏段が上昇または下降方向に動いているときにベビーカーの動きを制限することができ、安全に運搬することができる。
【００１８】
この場合、凹部切り欠きは、踏段の踏板面の幅方向に延びるように設けることにより、ベビーカーを踏段幅方向の任意の位置に位置決めすることができる。
【００１９】
また凹部切り欠きは、踏段の踏板面の幅方向に対し、左右いずれか一方の側にのみ設けることができる。このように構成すれば、踏段の凹部切り欠きを設けない他方の側を他の利用者の追い越し車線として確保することができる。
【００２０】
さらに凹部切り欠きは、断面形状を円弧状に形成することによって、ベビーカーの搬出入を容易にすることができる。この場合凹部切り欠きは、断面形状をＶ字状に形成し、その挟み角を鈍角に構成して、ベビーカーの車輪の位置決めを確実に行なうようにすることができる。
【００２１】
また凹部切り欠きの深さ寸法は、乗降口に設けられ、踏段の踏板面の凹凸に噛み合う櫛歯の先端部の高さ寸法とほぼ同じか、または先端部の高さ寸法より小さく構成することにより踏板面の凹凸と櫛歯の先端部の噛み合いを維持して、その間に挟まれる危険を少なくすることができる。
【００２２】
さらに踏段の蹴上げ板に凹部切り欠きを設けることにより、この凹部切り欠きに車輪の一部を嵌め込ませることにより、ベビーカーの位置決めをすることができる。
【００２３】
また踏板面および蹴上げ板の少なくとも一方の凹部切り欠きに、他の踏段の部分よりも目立つ手段を施すことによって、ベビーカーの車輪を嵌入する位置を容易に視認させることができる。
【発明の効果】
【００２４】
以上説明したように本発明による乗客コンベア装置によれば、踏段の踏板面にベビーカーの車輪が嵌入可能な凹部切り欠きを設けたことにより、特別な操作を行なうことなく、また他の利用客の利用を中段させることなく、安全にベビーカーを搭載して運搬することができる。
【発明を実施するための最良の形態】
【００２５】
以下、本発明の実施の形態について図面を参照して説明する。図１は本発明による乗客コンベア装置の第１の実施の形態を示す概略構成図、図２は図１における踏段を拡大して示す斜視図、図３は図１における踏段の踏板面と櫛歯の先端部との噛み合い状態を示す正面断面図、図４は図３の側面断面図である。
【００２６】
図１において、上下の階床にわたって傾斜して配設された主枠１の一端側に駆動装置２が設けられている。この駆動装置２には動力伝達チェーン３を介して連動する駆動輪が設けられており、この駆動輪と同軸に駆動スプロケット４が設けられている。また主枠１の他端側には従動スプロケット５が設けられており、この従動スプロケット５と駆動スプロケット４とに無端状の踏段チェーン６が巻き掛けられ、この踏段チェーン６に多数の踏段７が等ピッチで結合されている。
【００２７】
踏段７は、前輪８ａおよび後輪８ｂが取付けられており、これら前輪８ａおよび後輪８ｂを介して、主枠１内に設けられた往路ガイドレール９ａ、帰路ガイドレール９ｂおよび反転ガイドレール９ｃに案内されて循環走行するようになっている。
【００２８】
主枠１の幅方向の両側には一対の欄干１０が立設され、この欄干１０には、踏段７と同期走行する手すりベルト１１が取付けられている。また乗客コンベア装置の上下階の乗降口１２ａ，１２ｂの踏段７との境には、櫛歯（コム）が取付けられている。
【００２９】
図２において、踏段７は、上面に利用者が乗り込むことのできる踏板（クリート）１４が設けられ、この踏板１４に連続するように蹴上げ板（ライザ）１５が設けられている。これら踏板１４と蹴上げ板１５は、外表面に幅方向に沿って凹凸が形成されており、隣接する踏段７の踏板１４と蹴上げ板１５の凹凸が噛み合って上下方向に移動するようになっている。
【００３０】
踏段７の踏板１４には、凹凸の山部１６に、矢印で示す踏段７の進行方向に沿って円弧状をなす切り欠き１７が形成され、各山部１６に形成された切り欠き１７によって踏段７の幅方向のほぼ全域にわたって横一文字の凹部切り欠き１８が形成されている。この凹部切り欠き１８の深さ寸法は、以下のように設定されている。
【００３１】
図３および図４において、踏段７が反転する位置の近くに設けられた乗降口１２ａまたは１２ｂの櫛歯１３ａまたは１３ｂには、踏段７の踏板面１４に設けられた凹凸に噛み合う先端部１９が設けられており、切り欠き１７は、その深さ寸法Ｄが櫛歯１３ａまたは１３ｂの先端部１９の高さ寸法Ｈとほぼ同じか、または先端部１９の高さ寸法Ｈより小さく構成されている。これは、櫛歯１３ａまたは１３ｂの先端部１９の凹凸と踏板１４の凹凸との噛み合い関係を維持するためであり、切り欠き１７による凹部切り欠き１８が形成されていることによって、その部分に利用者が挟まれる危険を少なくするためである。
【００３２】
またこの凹部切り欠き１８は、踏段７の他の踏板１４部分に対して目立つように着色や模様の塗装等を施して視覚的に区別できるように構成されている。
【００３３】
次に上記実施の形態の作用効果について説明する。図５は上昇運転時のエスカレーターにベビーカー２０を搭載させるときのベビーカー２０の状態を示す概略構成図、図６は下降運転時のエスカレーターにベビーカー２０を搭載させるときのベビーカー２０の状態を示す概略構成図である。上昇運転しているエスカレーターに対し、下階乗降口から乗り込むときは、図５に示すように、ベビーカー２０を伴う利用者が、踏段７にベビーカー２０の前輪（車輪）２１が凹部切り欠き１８に嵌まるようにベビーカー２０を載せる。凹部切り欠き１８は、踏段７の踏板面の幅方向に延びるように設けられているので、ベビーカー２０を踏段７幅方向の任意の位置に位置決めすることができる。そしてエスカレーターの踏段７が進行方向に進むので、続いて利用者が下段の踏段７に乗り込む。踏段７が傾斜部を走行する段差運動区間では、ベビーカー２０の後輪（車輪）２２を持ち上げるか、または一つ下の踏段７の凹部切り欠き１８にベビーカー２０の後輪２２を嵌め入れる。これにより、凹部切り欠き１８にベビーカー２０の前輪２１（および後輪２２）が引っ掛かり、ベビーカー２０の動きを踏段７の踏板１４上で制限することができ、安定した搭載が可能となる。
【００３４】
下降運転しているエスカレーターに対しては、図６に示すように、利用者が上階乗降口から乗り込むとき、踏段７にベビーカー２０の後輪２２を凹部切り欠き１８に嵌め込むようにしてベビーカー２０を載せる。踏段７が進行方向に進むので、続いて利用者が上段の踏段７に乗り込む。踏段７が傾斜部を走行する段差運動区間では、ベビーカー２０のハンドル２３を下方に力を入れて押すことで、ベビーカー２０の後輪２２を支点として前輪２１を持ち上げ水平状態を維持する。このとき、凹部切り欠き１８がベビーカー２０の後輪２２の動きを制限するため、踏板１４上でベビーカー２０の動きを制限することができ、安定した搭載が可能となる。
【００３５】
またこの踏段７に設けた凹部切り欠き１８は、視覚的に踏段７の他の踏板１４部分と区別できるように構成されていることによって、利用者はベビーカー２０の前輪２１および後輪２２を嵌め入れるための位置を容易に視認して位置決めすることができる。
【００３６】
なお、この凹部切り欠き１８は、断面形状を円弧状に形成することによって、ベビーカー２０の前輪２１または後輪２２の搬出入を容易にすることができる。この場合、図７に示すように、凹部切り欠き２８の断面形状をＶ字状に形成し、その挟み角を鈍角に構成することもできる。このように構成すれば、ベビーカーの２０の車輪が小径であっても、凹部切り欠き１８内に確実に位置決めでき、凹部切り欠き１８内で移動することがない。
【００３７】
このように本実施の形態によれば、特別な操作を行なうことなく、また他の利用客の利用を中段させることなく、踏段７にベビーカー２０を安定して搭載して安全に運搬することができる。しかも専用の係員を呼び出す必要がないので、エスカレーターを利用したいときに個人で気軽に利用できる。さらにベビーカー２０は、付加機器が必要ないために大型化・重量増のない通常のベビーカーを使用することができる。
【００３８】
図８は本発明による乗客コンベア装置の第２の実施の形態における踏段を拡大して示す斜視図である。本実施の形態では、凹部切り欠き２９を踏段７の踏板１４面の幅方向に対し、左右いずれか一方の側にのみ寄せて設けるようにしたものである。図示では凹部切り欠き３８を踏板１４の左側に寄せて設けた場合を示し、またベビーカーの前後各２個の車輪に対応させ、凹部切り欠き３８を２個に分割配置して設けた場合を示している。
【００３９】
このように構成すれば、踏段７の凹部切り欠き３８を設けた側にベビーカーを安定して搭載できるとともに、凹部切り欠き３８を設けない他方の側の踏板１４面は、他のエスカレーター利用者の追い越し車線として確保することができる。
【００４０】
図９は本発明による乗客コンベア装置の第３の実施の形態における踏段を示す概略側面図である。本実施の形態では、踏段７の踏板１４面に、車輪が嵌入できる進行方向に長い凹部切り欠き４８を設ける構成に加えて、踏段７の蹴上げ板１５にも車輪が嵌入できる凹部切り欠き５８を設けるようにしたものである。本実施の形態によれば、踏段７の踏板１４面にベビーカーを載せ、その車輪を凹部切り欠き４８に嵌入させた際に、ベビーカーをさらに蹴上げ板１５側に押すことにより、ベビーカーの車輪を凹部切り欠き５８にも係合させるようにして、ベビーカーの位置決めを確実に行なえるようにしたものである。
【００４１】
なお、この蹴上げ板１５の凹部切り欠き５８も視覚的に踏段７の他の踏板１４部分と区別できるように構成することが望ましい。
【図面の簡単な説明】
【００４２】
【図１】本発明による乗客コンベア装置の第１の実施の形態を示す概略構成図である。
【図２】図１における踏段を拡大して示す斜視図である。
【図３】図１における踏段の踏板面と櫛歯の先端部との噛み合い状態を示す正面断面図である。
【図４】図３の側面断面図である。
【図５】上昇運転時のエスカレーターにベビーカーを搭載させるときのベビーカーの状態を示す概略構成図である。
【図６】下降運転時のエスカレーターにベビーカーを搭載させるときのベビーカーの状態を示す概略構成図である。
【図７】第１の実施の形態の変形例を示す概略構成図である。
【図８】本発明による乗客コンベア装置の第２の実施の形態における踏段を拡大して示す斜視図である。
【図９】本発明による乗客コンベア装置の第３の実施の形態における踏段を示す概略側面図である。
【符号の説明】
【００４３】
１…主枠
２…駆動装置
３…動力伝達チェーン
４…駆動スプロケット
５…従動スプロケット
６…踏段チェーン
７…踏段
８ａ…前輪
８ｂ…後輪
９ａ…往路ガイドレール
９ｂ…帰路ガイドレール
９ｃ…反転ガイドレール
１０…欄干
１１…手すりベルト
１２ａ，１２ｂ…乗降口
１３ａ，１３ｂ…櫛歯（コム）
１４…踏板（クリート）
１５…蹴上げ板（ライザ）
１６…山部
１７…切り欠き
１８，２８，３８，４８，５８…凹部切り欠き
１９…先端部
２０…ベビーカー
２１…前輪（車輪）
２２…後輪（車輪）
２３…ハンドル
【図１】
2005075477.tif 000003
【図２】
2005075477.tif 000004
【図３】
2005075477.tif 000005
【図４】
2005075477.tif 000006
【図５】
2005075477.tif 000007
【図６】
2005075477.tif 000008
【図７】
2005075477.tif 000009
【図８】
2005075477.tif 000010
【図９】
2005075477.tif 000011